(57)【特許請求の範囲】
【請求項１】
操作者の入力に基づいて予め記憶している第１の検索条件を基にデータベース中の医用画像の検索を、医用画像の更新時又は定期的にバックグラウンドにおいて予め繰り返し行う医用画像検索手段と、
前記検索の結果に含まれる医用画像の識別情報を前記第１の検索条件に対応付けて記憶しておく検索結果管理手段と、
第２の検索条件とともに前記医用画像の要求を受け付けて、前記第１の検索条件の中に前記第２の検索条件が存在する場合、前記検索結果管理手段に記憶されている前記第２の検索条件に対応する前記医用画像の識別情報を取得し、取得した前記医用画像の識別情報を基に前記データベースから対応する前記医用画像を抽出する医用画像管理手段と、
前記抽出した医用画像を表示手段に表示させる表示制御手段と、
を備え、
前記医用画像管理手段は、
前記第１の検索条件の中に前記第２の検索条件が存在するかを検索することで、前記第１の検索条件の中の前記第２の検索条件の存在の有無を判断する
ことを特徴とする医用画像管理装置。
【請求項２】
前記第２の検索条件が前記第１の検索条件の中に存在する場合、前記検索結果管理手段から前記第２の検索条件に対応する前記医用画像の識別情報を受信して前記表示制御手段を介して前記表示手段に前記医用画像の識別情報のリストを表示させる医用画像情報リスト表示手段をさらに備えることを特徴とする請求項１に記載の医用画像管理装置。
【請求項３】
前記第１の検索条件は、画像診断を行うときに参照することが予測される前記医用画像を抽出する条件であり、検査の日にち、患者名、画像種、及び検査者を含み、
前記第２の検索条件は実際に前記画像診断を行うときに参照する医用画像を抽出するための条件であることを特徴とする請求項１又は請求項２に記載の医用画像管理装置。
【請求項４】
操作者の入力に基づいて予め記憶している第１の検索条件を基にデータベース中の医用画像の検索を行う医用画像検索段階と、
前記検索の結果に含まれる前記医用画像の識別情報を前記第１の検索条件に対応付けて記憶しておく検索結果管理段階と、
前記医用画像検索段階と前記検索結果管理段階とをバックグラウンドにおいて予め繰り返し行う段階と、
第２の検索条件とともに前記医用画像の要求を受け付けて、前記第２の検索条件が前記第１の検索条件の中に存在する場合、前記検索結果管理手段に記憶されている前記第２の検索条件に対応する前記医用画像の識別情報を取得し、取得した前記医用画像の識別情報を基に前記データベースから対応する前記医用画像を抽出する医用画像管理段階と、
前記抽出した医用画像を表示手段に表示させる表示制御段階と、
を備え、
前記医用画像管理段階では、前記第１の検索条件の中に前記第２の検索条件が存在するかを検索することで、前記第１の検索条件の中の前記第２の検索条件の有無を判断する
ことを特徴とする医用画像管理方法。
【発明の詳細な説明】
【技術分野】
【０００１】
本発明は、医用画像診断装置によって取得された医用画像を、要求された条件に合わせて検索し表示する医用画像管理装置、及び医用画像管理方法に関する。
【背景技術】
【０００２】
超音波診断装置、ＭＲＩ装置、及びＸ線ＣＴ装置などの医用画像診断装置によって生成される画像データは、一定量は自己の内部に有する記憶部に記憶しておくとともに、ネットワークを介して接続された医用画像保管通信システム（ＰＡＣＳ）においての集中管理も行われている。この医用画像保管通信システムは、ネットワークを介して病院情報システム（ＨＩＳ）や放射線部門情報システム（ＲＩＳ）と接続されている。医師や操作技師など（以下では、単に「操作者」という。）は、画像診断を行うに際し、直接医用画像診断装置の記憶部から所望の画像を読み出したり、ＨＩＳやＲＩＳにおいて、ネットワークを介して接続されたＰＡＣＳに保存されている画像データの中から所望の画像データを読み出したりすることによって、過去の画像データと最新の画像データとの比較などを行い、診断の効率を図っている。ここで、「ＨＩＳ」とは、Ｈｏｓｐｉｔａｌ Ｉｎｆｏｒｍａｔｉｏｎ Ｓｙｓｔｅｍ（病院情報システム）の略称である。また、「ＲＩＳ」とは、Ｒａｄｉｏｌｏｇｙ Ｉｎｆｏｒｍａｔｉｏｎ Ｓｙｓｔｅｍ（放射線科情報システム）の略称である。また、「ＰＡＣＳ」とは、Ｐｉｃｔｕｒｅ Ａｒｃｈｉｖｉｎｇ ａｎｄ Ｃｏｍｍｕｎｉｃａｔｉｏｎ Ｓｙｓｔｅｍ（医用画像保管通信システム）の略称である。
【０００３】
医用画像を保存している医用画像診断装置及びＰＡＣＳなど（以下では、「医用画像管理装置」という。）において、検索要求を受けて記憶部に記憶されている検索条件に対応する画像を表示させる場合、従来の上述の医用画像情報を管理する装置では、医用画像の実際の取得時に検索条件を指定し、全てのデータベースに対し検索を実施する方法（例えば、特許文献１参照。）が採られていた。
【０００４】
ここで、ここで図５を用いて従来の検索を行う医用画像管理装置の構成を説明する。図５は従来の検索を行う医用画像管理装置のブロック図である。図５に示すように、従来の検索では、まず、操作者がユーザインタフェース００１を用いて検索条件を入力する。次に、医用画像管理手段００２が入力された検索条件を基にデータベース００３の中のすべての医用画像を対象として検索を行ない、その検索結果に対応した医用画像を抽出する。さらに医用画像管理手段００２は抽出した医用画像を表示制御手段００４へ出力する。表示制御手段００４は医用画像管理手段００２から入力された医用画像をユーザインタフェースに表示させる。
【０００５】
【特許文献１】特開２０００−３１６８１４号公報
【発明の開示】
【発明が解決しようとする課題】
【０００６】
しかし、近年医用画像診断装置の高速化や高性能化などの進化が目覚しい。そのため、撮影のスピードが上がるとともに同時に複数の撮影を行うことができ、１回の検査で撮影可能な部位の範囲の増加しそれに合わせ、医用画像診断装置で生成される画像データの数が増加する。また、撮影に連動した画像処理が高速化しているため、医用画像診断装置で生成される画像データの数が増加する、さらに、画像データの種類（例えば、ボリュームデータや４Ｄデータなど。）の増加によっても、医用画像診断装置で生成される画像データの数が増加している。
【０００７】
このような管理する画像データの数の増加により、情報取得時に併せて検索を実行する方法では、リスト取得に掛かる時間が画像データの数に比例して増加することになる。そのため、医用画像診断に掛かる時間の短縮が困難になり、患者に対する負荷も増大してしまう。
【０００８】
さらに、メモリなどの記憶媒体が安価になり、また記憶媒体における記憶容量が莫大なものとなってきているため、医用画像診断装置内部に配置された記憶部の記憶容量も非常に大きなものとなってきている。そのため、医用画像診断装置内の記憶部内にある画像データを検索する場合でも、情報取得時に合わせて検索を実行する方法では、検索に時間が掛かってしまい、医用画像診断に掛かる時間の短縮が困難となっている。
【０００９】
本発明は、このような事情に鑑みてなされたもので、予め設定された検索条件を基にバックグラウンドで検索処理を実行し検索条件に対応した医用画像の識別情報を記憶しておき、検索要求に対し該識別情報を用いて必要な医用画像にアクセスできる医用画像管理装置、及び医用画像管理方法を提供することを目的としている。
【課題を解決するための手段】
【００１０】
上記目的を達成するために、請求項１に記載の医用画像管理装置は、操作者の入力に基づいて予め記憶している第１の検索条件を基にデータベース中の医用画像の検索を、医用画像の更新時又は定期的にバックグラウンドにおいて予め繰り返し行う医用画像検索手段と、前記検索の結果に含まれる医用画像の識別情報を前記第１の検索条件に対応付けて記憶しておく検索結果管理手段と、第２の検索条件とともに前記医用画像の要求を受け付けて、前記第１の検索条件の中に前記第２の検索条件が存在する場合、前記検索結果管理手段に記憶されている前記第２の検索条件に対応する前記医用画像の識別情報を取得し、取得した前記医用画像の識別情報を基に前記データベースから対応する前記医用画像を抽出する医用画像管理手段と、前記抽出した医用画像を表示手段に表示させる表示制御手段と、を備え、前記医用画像管理手段は、前記第１の検索条件の中に前記第２の検索条件が存在するかを検索することで、前記第１の検索条件の中の前記第２の検索条件の存在の有無を判断することを特徴とするものである。
【００１１】
請求項４に記載の医用画像管理方法は、操作者の入力に基づいて予め記憶している第１の検索条件を基にデータベース中の医用画像の検索を行う医用画像検索段階と、前記検索の結果に含まれる前記医用画像の識別情報を前記第１の検索条件に対応付けて記憶しておく検索結果管理段階と、前記医用画像検索段階と前記検索結果管理段階とをバックグラウンドにおいて予め繰り返し行う段階と、第２の検索条件とともに前記医用画像の要求を受け付けて、前記第２の検索条件が前記第１の検索条件の中に存在する場合、前記検索結果管理手段に記憶されている前記第２の検索条件に対応する前記医用画像の識別情報を取得し、取得した前記医用画像の識別情報を基に前記データベースから対応する前記医用画像を抽出する医用画像管理段階と、前記抽出した医用画像を表示手段に表示させる表示制御段階と、を備え、前記医用画像管理段階では、前記第１の検索条件の中に前記第２の検索条件が存在するかを検索することで、前記第１の検索条件の中の前記第２の検索条件の有無を判断することを特徴とするものである。
【発明の効果】
【００１２】
請求項１に記載の医用画像管理装置及び請求項７に記載の医用画像管理方法によると、予め検索条件に対応した検索を行っておき、実際の検索要求に対し予め行っておいた検索結果を基にデータベースからの医用画像の抽出を行うことができる。これにより、医用画像診断時における検索時間の短縮化を図ることが可能となる。また、予め記憶しておく検索結果も識別情報だけであるため、記憶領域を小さく抑えることが可能となる。
【発明を実施するための最良の形態】
【００１３】
〔第１の実施形態〕
以下、この発明の第１の実施形態に係る医用画像管理装置について説明する。図１は本発明に係る医用画像管理装置の機能を表すブロック図である。
【００１４】
第１の実施形態に係る医用画像管理装置は、該医用画像管理装置が医療施設のネットワーク上に１台だけ配置された構成である。すなわち、第１の実施形態に係る医用画像管理装置は、Ｘ線ＣＴ装置やＭＲＩ装置のような装置は高価で巨大なために通常は医療施設に１台のみ配置されて使用されるような装置を対象としている。
【００１５】
データベース００３は、ハードディスクやＣＤなどの長期的にデータの保存を行う記憶媒体であり、本実施形態に係る医用画像管理装置内及び医用画像情報システム（ＰＡＣＳ）等の外部のシステムに配置されている、もしくはＣＤなどの外部メディアなどに記憶されているものである。データベース００３は、本実施形態に係る医用画像管理装置が過去に撮影した医用画像を保存している。データベース００３は、保管している医用画像に関連させて、画像ＩＤ及び検査ＩＤ等の医用画像を特定する情報を記憶しており、さらに、その医用画像の検査日、検査内容、患者名、患者ＩＤ、対象部位、検査者、画像の種類、関連ある部位といった付帯情報も記憶している。
【００１６】
データベース００３に保存されている画像を参照しながら医用画像診断装置で診断を実行するのに先立って、予め操作者はユーザインタフェース００１を使用して検索条件を入力しておく。この検索条件とは、医用画像診断装置を使用する操作者において定常的に使用される検索条件であり、例えば、当日の検査の結果、検査に関連ある部位と画像の種類（通常画像又は造影画像など）、又は操作者自身が撮影した画像などの操作者毎の固有条件などである。この検索条件が本発明における「第１の検索条件」にあたる。また、操作者は、実際の医用画像診断時において、過去の医用画像を参照したい場合にユーザインタフェース００１を使用して、参照したい画像の条件、すなわち、検索条件を入力する。この検索条件が本発明における「第２の検索条件」にあたる。ここで、本実施形態では、予め記憶して入る検索条件に含まれる検索条件をなるべく使用できるように、入力方法として予め入力しておいた検索条件を選択可能にユーザインタフェースに表示させてその中から操作者に選択させている。また、その表示された検索条件以外の条件で検索したい場合は直接入力させることもできるようにしている。ここで、その他の入力方法としは検索条件を選択させずに直接必要な検索条件を入力する方法でもよい。
【００１７】
医用画像検索手段００５は、自己の記憶領域にユーザインタフェース００１から入力された検索条件を記憶しておく。医用画像検索手段００５は、記憶している検索条件毎にデータベース００３内の検索を定期的に行う。本実施形態では検査終了の信号をＨＩＳから受信したときにその信号をトリガとして検査を行う。ここで、この検索を行うタイミングはデータベース００３の医用画像が更新される頻度に応じて決定することが好ましく、例えば、検査終了の信号を外部のＨＩＳやＲＩＳから受け取りそれをトリガとして検索を行うことや、朝に１回検索を行うことや、又は検査の予約が入ったタイミングを外部のシステムから受け取りそれをトリガとして検索をおこなうことが考えられる。また、最初の一回目は検索条件が設定されたタイミングで検索を実行しても良い。医用画像検索手段００５は、検索条件に基づきデータベースを検索した結果から、画像ＩＤ又は検査ＩＤ等の医用画像の識別情報を抽出する。さらに、医用画像検索手段００５は、使用した検出条件に抽出した医用画像の識別情報を対応付けて検索結果管理手段００６へ入力する。
【００１８】
検索結果管理手段００６は、医用画像検索手段００５から入力された検索条件と対応付けられた医用画像の識別情報とをそれぞれの検索条件毎に自己の記憶領域に記憶する。検索結果管理手段００６は、医用画像管理手段００２から入力された検索条件と同じ検索条件と対応付けられた医用画像の識別情報とが記憶されている場合には、医用画像管理手段００２へ、入力された検索条件に対応する医用画像の識別情報を出力する。入力された検索条件が検索結果管理手段００６の記憶している検索条件に存在する場合には、検索結果管理手段００６は、その検索条件に対応する医用画像の識別情報を医用画像管理手段００２へ入力する。
【００１９】
医用画像管理手段００２は、ユーザインタフェース００１から入力された検索条件が検索結果管理手段００６に記憶されている検索条件に存在するか否かを確認する。本実施形態では表示された検索条件の中から必要とする検索条件が選ばれたか否かにより、記憶されている検索条件に存在するか否かが確認できる。入力された検索条件が検索結果管理手段００６の中になければ、データベース００３の中に存在する全ての医用画像に対し検索を実行し、検索条件に対応する医用画像を抽出する。入力された検索条件が検索結果管理手段００６の中にある場合には、検索結果管理手段００６からその検索条件に対応する医用画像の識別情報を受信する。そして、医用画像管理手段００２は、受信した医用画像の識別情報を基に、該識別情報に対応する医用画像をデータベース００３から抽出する。医用画像管理手段００２は、抽出した医用画像を表示制御手段００４へ出力する。ここで、記憶されている検索条件に入力された検索条件が存在するか否かの確認は、医用画像管理手段００２が検索結果管理手段００６内の検索条件を検索する方法でもよく、また、医用画像管理手段００２が単に入力された検索条件を検索結果管理手段００６に入力して、検索結果管理手段００６から識別情報が返ってきた場合に存在すると判断する方法でもよい。
【００２０】
表示制御手段００４は、検索結果管理手段００６が有する検索条件を取得し、ユーザインタフェース００１に選択可能にその取得した検索条件を表示させる。また、医用画像管理手段００２から入力された医用画像をユーザインタフェース００１に含まれるモニタなどに表示させる。
【００２１】
以上の説明では、操作者による入力部及び表示部をユーザインタフェース００１としてまとめて説明したが、これらは予め検索条件を入力するユーザインタフェースと、実際に画像診断する場合において検索条件を入力するユーザインタフェースは異なるものでもよく、さらに、検索結果の医用画像を表示する表示部は、ユーザが検索条件などを入力するときに使用する表示部と異なる物でもよい。
【００２２】
次に、図２及び図３を参照して本実施形態に係る医用画像管理装置におけるバックグラウンドでの検索条件に対応した識別情報の抽出、及び検索要求に対応する医用画像の抽出について説明する。ここで、図２は本実施形態に係る医用画像管理装置におけるバックグラウンドでの検索条件に対応した識別情報の抽出のフローチャートの図。図３は本実施形態に係る医用画像管理装置における検索要求に対応する医用画像の抽出・表示のフローチャートの図である。
【００２３】
（医用画像検索手段及び検索結果管理手段の動作）
ステップＳ００１：ＲＩＳ又はＨＩＳより検査終了の信号の受信することにより検索開始のトリガが発生すると、ステップＳ００２に進み、この検索開始のトリガが発生しない場合には、ステップ００１を繰り返し、検索開始のトリガが発生するのを待つ。
【００２４】
ステップＳ００２：医用画像検索手段００５は、予め記憶している検索条件を基にデータベースを検索し、検索結果の医用画像に付加された医用画像の識別情報を抽出する。ここで、予め記憶している検索条件とは、画像診断時において定常的に検索に利用される条件であり、例えば検査の日付、検査の部位、検査した操作者の名前などである。医用画像検索手段００５は、検索条件及び該検索条件に対応する医用画像の識別情報を検索結果管理手段００６へ出力する。
【００２５】
ステップＳ００３：検索結果管理手段００６は、医用画像検索手段００５から入力された検索条件と該検索条件に対応する医用画像の識別情報とを関連付けて記憶する。
【００２６】
本実施形態に係る医用画像管理装置は、バックグラウンドでステップＳ００１からステップＳ００３を繰り返している。
【００２７】
（検索要求に対応した医用画像の抽出・表示）
ステップＳ１０１：操作者はユーザインタフェース００１を使用して、医用画像診断中に参照したい画像の検索条件を入力する。
【００２８】
ステップＳ１０２：医用画像管理手段００２は、ユーザインタフェース００１から入力された検索条件が、検索結果管理手段００６が記憶している検索条件の中に存在するか否かを判断する。入力された検索条件が検索結果管理手段００６が記憶している検索条件の中にあればステップＳ１０３に進み、入力された検索条件が検索結果管理手段００６が記憶している検索条件の中に無ければステップＳ１０４に進む。
【００２９】
ステップＳ１０３：医用画像管理手段００２は、検索結果管理手段００６から入力された検索条件を検索結果管理手段００６へ出力する。検索結果管理手段００６は、入力された検索条件に対応した医用画像の識別情報を抽出し、医用画像管理手段００２へ該医用画像の識別情報を出力する。医用画像管理手段００２は、検索結果管理手段００６より入力された医用画像の識別情報を基にデータベース００３の中から対応する医用画像を抽出する。
【００３０】
ステップＳ１０４：医用画像管理手段００２は、入力された検索条件が検索結果管理手段００６が記憶している検索条件の中に無ければ、データベース００３の中に存在する全ての医用画像に対して入力された検索条件により検索を実行し、検索条件に対応する医用画像を抽出する。
ステップＳ１０５：医用画像管理手段００２は、抽出した医用画像を表示制御手段００４へ出力する。表示制御手段００４は、入力された医用画像をユーザインタフェース００１に含まれるモニタなどに表示させる。
【００３１】
以上のように、本実施形態に係る医用画像管理装置は、予め検索条件を設定しておき定期的にバックグランドで検索を行わせ、その検索結果に対応する医用画像の識別情報を取得している。そして、バックグラウンドで行われる検索に使用される検索条件は実際の医用画像を用いた診断時において定常的に検索に利用される条件であり、例えば、当日の検査、関連のある部位及び画像主のペアなどである。このため、実際に画像診断を行う際の検索条件に基づく画像要求に際し全ての医用画像を対象にした検索を行わずに、検索結果に対応する既に抽出されている医用画像の識別情報を用いて必要とする医用画像を抽出することができる。これにより、画像診断時の検索要求に対する検索時間が短縮でき画像診断全体の診断時間を短縮することが可能となる。また、予め検索しておいた結果に対応する医用画像の識別情報だけを記憶しておくため、検索結果として得られる医用画像をそのまま記憶する場合にくらべ事前の検索結果を記憶するための領域を小さく抑えることが可能となる。
【００３２】
〔第２の実施形態〕
以下、この発明の第２の実施形態に係る医用画像管理装置について説明する。図４は本発明に係る医用画像管理装置のネットワーク上の構成を表す構成図である。また、本実施形態における医用画像管理装置の機能的な構成は第１の実施形態と同様であり、そのブロック図は図１で表される。
【００３３】
第２の実施形態に係る医用画像管理装置は、該医用画像管理装置が医療施設のネットワーク上に複数台配置された構成である。すなわち、第２の実施形態に係る医用画像管理装置は、超音波心身断層値のように安価で規模が小さいため、通常は医療施設に複数台配置されて使用されるような装置を対象としている。
【００３４】
本実施形態において、図１におけるデータベース００３は、図４における各医用画像管理装置４０１ａ〜４０１ｄのそれぞれ、及びネットワークを介して接続されているＰＡＣＳなどの医用画像情報システム４０２に配置されている。以下では、医用画像管理装置４０１ａにおける各手段の動作について説明する。これは他の医用画像管理装置４０１ｂ〜４０１ｄにおいても同様である。
【００３５】
医用画像管理装置４０１ａが有する医用画像検索手段００５は、ユーザインタフェース００１より予め入力された検索条件を記憶している。医用画像検索手段００５は、検査終了の信号をＨＩＳ又はＲＩＳから受信すると、それをトリガとして自己の有するデータベース００３、他の医用画像管理装置４０１ｂ〜４０１ｄが有するデータベース００３、及び医用画像情報システム４０２が有するデータベース００３を検索する。医用画像管理装置４０１ａは、検索結果に対応する医用画像の識別情報をデータベースから抽出する。医用画像管理装置４０１ａは、検索結果管理手段００６に検索条件及び検索結果に対応する医用画像の識別情報を検索結果管理手段００６へ出力する。
【００３６】
検索結果管理手段００６は、入力された検索条件と検索結果に対応する医用画像の識別情報を対応付けて記憶する。ここで、本実施形態に係る医用画像管理装置は、予め行っておく検索の結果の医用画像の識別子のみを記憶し、医用画像そのものは記憶しないため、検索結果を記憶させるための記憶領域の容量を小さく抑えることができる。したがって、各医用画像管理装置に予め行っている検索結果を記憶させておいてもシステム上の負荷になることはない。また、本実施形態では各医用画像管理装置がそれぞれ検索結果管理手段００６を有し、それぞれが検索結果を記憶しておく構成にしているが、これは各検索結果管理手段００６を統合して１つの検索結果管理手段００６としてネットワーク上に配置し各医用画像管理装置が１つの検索結果管理手段００６を使用する構成でもよい。この場合、各医用画像管理装置の医用画像検索手段００５は統合された検索結果管理手段００６に検索条件及び検索条件に対応する医用画像の識別情報を記憶させることになる。また、各医用画像管理装置の医用画像管理手段００２は、統合された検索結果管理手段００６に検索条件を送り、その検索条件に対応した識別情報を統合された検索結果管理手段００６から受信することになる。検索結果管理手段００６は、医用画像管理装置４０１ａ〜４０１ｄのいずれかに配置された医用画像管理手段００２から送られてくる検索要求に対し、要求された検索条件が自己が記憶している検索条件に存在する場合は、該検索条件に対応する医用画像の識別情報を、その検索要求を送信してきた医用画像管理手段００２に対し出力する。
【００３７】
医用画像管理手段００２は、ユーザインタフェース００１から入力された検索条件が検索結果管理手段００６に記憶されている検索条件に存在する場合には、検索結果管理手段００６に該検索条件に基づく検索要求を送信する。さらに、医用画像管理手段００２は、検索結果管理手段００６から検索条件に対応する医用画像の識別情報を受信する。医用画像管理手段００２は、受信した識別情報を基に、自己の有するデータベース００３、他の医用画像管理装置４０１ｂ〜４０１ｄに配置されたデータベース００３、又は外部の医用画像情報システム４０２に配置されたデータベース００３から対応する医用画像を抽出する。
【００３８】
入力された検索条件が検索結果管理手段００６に記憶されている検索条件に存在しない場合には、医用画像管理手段００２は、自己の有するデータベース００３、他の医用画像管理装置４０１ｂ〜４０１ｄに配置されたデータベース００３、及び外部の医用画像情報システム４０２に配置されたデータベース００３を直接検索し検索条件に対応する医用画像を抽出する。
【００３９】
医用画像管理手段００２は、抽出した医用画像を表示制御手段００４へ出力する。
【００４０】
表示制御手段００４は、入力された医用画像をユーザインタフェース００１に含まれるモニタに表示させる。
【００４１】
以上で説明したように、本実施形態に係る医用画像管理装置においては複数の医用画像管理装置がネットワーク上にあり、かつ予め設定された検索条件に基づいて検索した検索結果に対応する医用画像の識別情報がそれぞれの医用画像管理装置の中に記憶され、それぞれの医用画像検索装置における検索要求に対し、その記憶している識別情報を用いて、それぞれの医用画像管理装置又は外部の医用画像管理システムが有するデータベースから直接目的とする医用画像を抽出することができる。これにより、どの医用画像管理装置（ここでは超音波診断装置など）で検査を行うかわからないような場合でも、実際に医用画像管理装置を使用する段階になったときに、その使用しようとする医用画像管理装置には必ず検索結果に対応する医用画像の識別情報が存在するため、短時間で検索条件に基づく医用画像の抽出を行うことが可能となる。したがって、本実施形態に係る医用画像管理装置は画像診断の時間の短縮に寄与することが可能となる。
【００４２】
〔第３の実施形態〕
以下、この発明の第３の実施形態に係る医用画像管理装置について説明する。本実施形態に係る医用画像管理装置の機能的な構成は第１の実施形態に図１の点線で示される医用画像リスト表示手段００７が加わったものである。そこで、以下では医用画像の識別情報のリスト表示について説明する。
【００４３】
操作者は、ユーザインタフェース００１から検索条件及びその検索条件に対応する医用画像の識別情報のリスト表示の要求を入力する。
【００４４】
医用画像リスト表示手段００７は、操作者からの検索条件及びその検索条件に対応する医用画像の識別情報のリスト表示の命令を受けて、検索結果管理手段００６に検索条件へ検索条件を入力する。次に、医用画像リスト表示手段００７は、検索結果管理手段００６から入力した検索結果に対応する医用画像の識別情報を取得する。医用画像リスト表示手段は取得した識別情報を表示制御手段００４へ出力する。
【００４５】
医用画像管理手段００２は、医用画像リスト表示手段００７から入力された検索条件を基に、記憶している検索条件とそれに対応する医用画像の識別情報の中から医用画像の識別情報を抽出し、医用画像リスト表示手段００７へ抽出した識別情報を出力する。
【００４６】
表示制御手段００４は、医用画像リスト表示手段００７から入力された識別情報を予め記憶している表のテンプレートに貼り付け、表示手段に表示させる。
【００４７】
以上で説明したように、本実施形態に係る医用画像管理装置では、検索条件に対応する医用画像の識別情報の一覧を医用画像管理手段から取得することができる。これにより、医用画像診断時に必要とする検索条件に対応する医用画像の一覧を容易に表示することが可能となる。したがって、本実施形態に係る医用画像診断装置は医用画像診断の時間の短縮に寄与することができる。
【図面の簡単な説明】
【００４８】
【図１】本発明に係る医用画像管理装置のブロック図
【図２】第１の実施形態に係る医用画像管理装置におけるバックグラウンドでの検索処理のフローチャートの図
【図３】第１の実施形態に係る医用画像管理装置における画像診断時における検索要求に基づく医用画像の抽出及び表示のフローチャートの図
【図４】第２の実施形態に係る医用画像管理装置のネットワーク構成を示す構成図
【図５】従来の医用画像管理装置のブロック図
【符号の説明】
【００４９】
００１  ユーザインタフェース
００２  医用画像管理手段
００３  データベース
００４  表示制御手段
００５  医用画像検索手段
００６  検索結果管理手段
【図１】
0005575360.tif 000002
【図２】
0005575360.tif 000003
【図３】
0005575360.tif 000004
【図４】
0005575360.tif 000005
【図５】
0005575360.tif 000006